(57)【要約】【課題】今まで円筒バネを穂先に付けてみても、軟らかく曲りすぎて重りの重いものを付けると、放物線状に曲がらず、取付けた部分から腰折れ状態で曲ってしまうことと、ねじれによって欠陥のある竿になるので、実用には供せるものとは思われていなかった。【解決の手段】本発明では、課題の解決の実現に向けて、円筒式のトップガイドを開発して、ねじれと糸がらみの出ない状態を確立し、円筒バネにそれを取付け曲り具合を放物線状にする為に、円筒の外周上に片足の釣糸ガイドを取付けることによって長い円筒バネを使っても腰折れしない状態を作り出し、曲りの軟らかい全く新しい先調子の竿を作り出すことが出来た。【選択図】  図６
2004275159.tif 000002
【特許請求の範囲】
【請求項１】
細長い円筒状バネの一端にトップ用釣糸ガイドを取付け、もう一端は竿の穂先に取付けられる様にし、円筒状バネの長さに応じて釣糸ガイドを円筒外周に取付ける様にした釣糸ガイド。
【発明の詳細な説明】
【０００１】
【産業上の利用分野】
本発明は、釣竿の先端の糸案内に関する改良の発明である。
【０００２】
【従来の釣竿】
釣糸ガイドの取付けた竿の材質は、古くは竹であり、次にグラスロット、最近ではカーボンロットと呼ばれるものが使われており、穂先の材質は、クジラ穂先、ソリットと呼ばれる強化樹脂なども継いで使われる。
竿の曲り方によって本調子（胴調子）…竿全体の曲りが反発力の中心になる。先調子…先端の曲る部分の長さによって、７：３調子、８：２調子などと呼ばれる。カーボンは、軽いが硬くて折れやすいので先調子の竿は出来づらい。竿全体で調子をとる場合と、先調子と呼ばれるものでは、竿が曲った時の反発力は先調子の方が早く反応出来る。曲りのしなやかな材質で順位をつけると、セミクジラ、イワシクジラ、強化樹脂、グラスロット、カーボンとなる。特に今流行のカーボン竿などは、先調子が作れないのが欠点である。セミクジラは最高に調子が良いが、高価で数量も少なく、誰でもが使えるものではない。
魚の種類によっては、先が深く曲るのに軽い力で曲り、しかも耐久性も良いものが必要である。又、こういうものがあれば、釣り方の方法や釣竿が画期的に面白くなるはずである。しかしながら、今のところこれらの材質では、その目的を達することが出来ないのが現状である。
【０００３】
【本発明の目指すもの】
本発明は、今まである材質の穂先に本発明を取付けることによって、好みの先調子の竿を作ることが出来る。曲る機能を持った穂先用釣糸ガイドを作ろうとするものである。
【０００４】
【実施例】
本発明の全体図は、図４のバネ付きガイドＴの部分である。先端部は円筒ガイド▲２▼−３が円筒バネＢの先端に付けられている。反対側には竿先に取付けられる様、取付パイプ▲４▼が付けられている。Ｔの長さに応じて片足ガイドＬ１、Ｌ２などが付けられる。円筒バネＢが短い場合や、釣糸ガイドを下側で使う時は、円筒バネＢには片足ガイドは付けない場合もある。バネ付ガイドＴの詳細は、図２、図３によって先端の円筒ガイド▲２▼−３、カンザシガイド▲２▼−１が明らかになっている。
円筒ガイドは、円筒▲２▼の一端に硬質ガイドリング▲３▼を設け、外通しの糸を内部に導入する為の硬質ガイドリング▲７▼を、円筒▲２▼の背に取付ける。この円筒ガイド▲２▼−３は、竿芯ガイドであり、竿芯にガイドリングを設けることにより、円筒バネＢにねじれモーメントがかかるのを極力少なく出来る優れたトップガイドである。これが出来ることによって、円筒バネ付きの釣糸ガイドが実現できるわけである。
図５は、穂先が曲げられた状態を横から見たものを線で表したもので、ハは、釣り人の方に魚が引張った状態。ニは下の方向。ホは前方の状態を示している。
図１は、Ｌ形トップガイド▲２▼−２を円筒バネＢに取付けたもので、これは、上記のハ又はニの状態で引張ると、Ｋ１が長い為に少しのバランスの片寄りで、例えば、Ｐ１地点にねじりモーメントがかかり、片足ガイドＰ２も含めて横に倒れた状態で引張られてしまい、竿の性能としては失格となる。しかるに、円筒ガイド▲２▼−３は、Ｋ２がＫ１に比べて小さい為に、釣糸がＰ３、Ｐ４地点になったとしても、横倒しのねじりモーメントは円筒バネＢを変形させるには力が足りない為に、片足ガイドＬ１は横倒しにならない。円筒バネＢの曲り具合は、片足ガイドＬ１によって全体の曲る曲線が調節されて、急に中折れする様な曲りにならないですむ。これは、短い円筒バネにしたのと同じ効果があり、ロー付けや糸巻きで良い位置に取付けられる。
図３は、円筒ガイドに次いで性能の良いもので、竿芯ガイドであるのでねじりには効果的だが、円筒▲２▼の首のへこみＡが小さく、針金▲５▼は丸く幅広なので糸がらみの効果は劣る。しかしこれも、バネ付きガイドＴのトップガイドとしては、使用に耐える。
図６は、本発明の円筒バネの両端の横断面図で、継ぎ軸Ｓ及びＳ−１によって、円筒ガイド▲２▼−３及び竿取付パイプ▲４▼が実用的に取付けられることを示している。
以上の構造によって釣糸は、釣糸ガイドを下向きで使う場合は、イの糸の流れとなり、ガイドを上向きで使う場合は、ロの流れとなり、スピニングリールや両軸リールの両方に使える。
【０００５】
【バネ付きガイドの構造】
図６に示す如く、円筒バネＢの片端には円筒ガイド▲２▼−３が付けられているが、竿芯には硬質ガイドリング▲３▼が取付けられ、背上にも硬質ガイドリング▲７▼が取付けられている。継ぎ軸Ｓによって円筒バネＢに取付けられる。場合によっては円筒バネの外側にかぶせて取付けることも出来る。竿の継ぎ側には、竿取付パイプ▲４▼が継ぎ軸Ｓ−１によって、円筒バネＢに取付けられている。この部分は、竿先▲１▼が円筒バネの内径部に直接取付けることもある。あるいは、円筒バネＢの外側に、竿取付パイプ▲４▼を取付けることも出来る。さらに、必要に応じて片足ガイドＬ１、Ｌ２を取付けることが出来る。これは、銀ロー付けや糸巻きによって取付けることが出来る。
円筒ガイド▲２▼−３は、円筒▲２▼は薄い金属性パイプを加工して硬質ガイドリング▲３▼、▲７▼を取付けてある構造になっているが、この構造は、半分割したものをプレス加工やプラスチックで加工したものや硬質ガイドリングの長いものの外周に穴を明けたものでも代用することが出来る。
図３に示したものは、カンザシガイド▲２▼−１を円筒バネＢに取付けたもので、竿芯に硬質ガイドリングが取付けられ、針金▲５▼の円上に取付金具▲６▼によって、硬質ガイドリング▲７▼が取付けられてある。この針金は、円筒▲２▼の先端にロー付けによって取付けられ、もう一方は継ぎ軸Ｓによって円筒バネＢに取付けられる。Ａ部は細く絞られている。
【０００６】
【従来の技術】
従来は、竿メーカーは釣竿という棒を加工して曲りを調節しようとしていたので、円筒状のバネを曲げの弾力に使おうというのはあまり中心的な考えにはなく、しかも、円筒バネを曲げてみても、竿の捧の様にきれいな放物線を描くことが出来ずにいた。したがって、外通しの竿にはこの円筒バネを使った製品はないのである。
【０００７】
【発明の効果】
円筒バネＢは、引張りを繰り返し使うより、竿が曲る様に曲げることに応用した場合、その動きは少ない為に、激しい使用頻度に対して十分すぎる程の強度がある。しかも今までの材質と違って、曲りに対しての対応力が線径の太さや直径、長さにより自由に変えることが出来るので、対象魚に調度合った竿を作り出すのに今まで以上にデリケートな竿を作り出すことが出来る。この円筒バネを使った穂先は、セミクジラを上回る耐久性と曲りの良さを有することになるので、この性能をカーボンやグラス、強化樹脂、イワシクジラ、竹などの穂先にトップガイドを取付ける要領で取付けるだけで、竿の性能を先調子の高性能に変えることが出来る。性能向上が目で分かるので、販売効果は計り知れない程向上する。
【図面の簡単な説明】
【図１】本発明の先端にＬ形トップガイドを取付けた外観図。
【図１−１】図１をトップ側から見た正面図。
【図２】本発明の先端に円筒ガイド▲２▼−３を取付けた先端部横断面図。
【図２−１】図２をトップ側から見た正面図。
【図３】本発明の先端にカンザシトップ▲２▼−１を取付けた断面図。
【図３−１】図３をトップ側から見た正面図。
【図４】本発明を竿に取付けた状態の外観全体図。
【図５】竿の曲りを線で表したもの。
【図６】本発明の断面図。
【符号の説明】
▲１▼      竿先
▲２▼      円筒
▲２▼−１  カンザシトップ
▲２▼−２  Ｌ形トップ
▲２▼−３  円筒ガイド
▲３▼      硬質ガイドリング
▲４▼      竿取付パイプ
▲５▼      針金
▲６▼      取付金具
▲７▼      硬質ガイドリング
▲８▼      銀ロー付け
イ      釣糸の通る流れ
ロ      釣糸の通る流れ
ハ      釣糸の引張る方向
ニ      釣糸の引張る方向
ホ      釣糸の引張る方向
Ｐ１    釣糸の横ずれしたポイント
Ｐ２    釣糸の横ずれしたポイント
Ｐ３    釣糸の横ずれしたポイント
Ｐ４    釣糸の横ずれしたポイント
Ｋ１    Ｌ形トップのねじりモーメントの距離
Ｋ２    円筒ガイドのねじりモーメントの距離
Ａ      へこみ
Ｔ      バネ付きガイド
Ｌ１    片足ガイド
Ｌ２    片足ガイド
Ｌ３    片足ガイド
Ｌ４    片足ガイド
Ｓ      継ぎ軸
Ｓ−１  継ぎ軸
【図１】
2004275159.tif 000003
【図１−１】
2004275159.tif 000004
【図２】
2004275159.tif 000005
【図２−１】
2004275159.tif 000006
【図３】
2004275159.tif 000007
【図３−１】
2004275159.tif 000008
【図４】
2004275159.tif 000009
【図５】
2004275159.tif 000010
【図６】
2004275159.tif 000011